【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
基準コンテンツのデータアイコンと、他のコンテンツのデータアイコンと、を識別可能に表示装置に表示するよう制御する表示制御手段と、
操作装置からの指示に基づき、前記表示装置に配列に従って表示されたデータアイコンを移動表示させるスクロール制御手段と、
前記移動表示の際に、前記基準コンテンツのデータアイコンに対して移動方向と逆方向のデータアイコンの数を、移動方向のデータアイコンの数より多く表示するよう制御するデータアイコン配列制御手段と、
を有することを特徴とする表示制御装置。
【請求項２】
データアイコンの移動表示の速度を制御する速度制御手段を更に有し、
前記データアイコン配列制御手段は、前記速度に応じて、前記移動表示の際に、前記基準コンテンツのデータアイコンに対して移動方向と逆方向のデータアイコンの数を、移動方向のデータアイコンの数より多く表示するよう制御することを特徴とする請求項１に記載の表示制御装置。
【請求項３】
基準コンテンツのデータアイコンを示す領域と、他のコンテンツのデータアイコンを示す領域と、を識別可能に表示装置に表示するよう制御する表示制御手段と、
操作装置からの指示に基づき、前記表示装置に配列に従って表示されたデータアイコンを前記基準コンテンツのデータアイコンを示す領域を通過するよう移動表示させるスクロール制御手段と、
前記移動表示の際に、前記基準コンテンツのデータアイコンを示す領域を通過する前のデータアイコンの数を、前記基準コンテンツのデータアイコンを示す領域を通過した後のデータアイコンの数より多く表示するよう制御するデータアイコン配列制御手段と、
を有することを特徴とする表示制御装置。
【請求項４】
データアイコンの移動表示の速度を制御する速度制御手段を更に有し、
前記データアイコン配列制御手段は、前記速度に応じて、前記移動表示の際に、前記基準コンテンツのデータアイコンを示す領域を通過する前のデータアイコンの数を、前記基準コンテンツのデータアイコンを示す領域を通過した後のデータアイコンの数より多く表示するよう制御することを特徴とする請求項３に記載の表示制御装置。
【請求項５】
前記スクロール制御手段は、移動表示を開始した場合、前記基準コンテンツのデータアイコンを示す領域を、データアイコンの移動方向にずらして配置すると共に、移動表示を終了した場合、前記基準コンテンツのデータアイコンを示す領域を、前記表示装置の中央から所定の領域内に配置するよう制御することを特徴とする請求項３に記載の表示制御装置。
【請求項６】
前記スクロール制御手段は、移動表示を開始してから所定時間の経過後、前記基準コンテンツのデータアイコンを示す領域を、データアイコンの移動方向にずらして配置することを特徴とする請求項５に記載の表示制御装置。
【請求項７】
移動表示が開始された場合、前記基準コンテンツのデータアイコンを示す領域を通過前のデータアイコンを示す領域の大きさを、前記基準コンテンツのデータアイコンを示す領域を通過後のデータアイコンを示す領域の大きさより小さくすると共に、移動表示が終了された場合、前記基準コンテンツのデータアイコンを示す領域の大きさと他のコンテンツのデータアイコンを示す領域の大きさとを同じにするデータアイコン変換手段を更に有することを特徴とする請求項３乃至６の何れか１項に記載の表示制御装置。
【請求項８】
前記データアイコン変換手段は、移動表示が開始されてから所定時間の経過後、前記基準コンテンツのデータアイコンを示す領域の大きさを、前記領域を通過前の他のコンテンツのデータアイコンを示す領域の大きさより大きくすることを特徴とする請求項７に記載の表示制御装置。
【請求項９】
データアイコンの移動表示の速度を制御する速度制御手段を更に有し、
前記データアイコン変換手段は、前記速度に応じて、前記移動表示の際に、前記基準コンテンツのデータアイコンを示す領域を通過する前のデータアイコンを示す領域の大きさを、前記基準コンテンツのデータアイコンを示す領域を通過した後のデータアイコンを示す領域の大きさより小さくすることを特徴とする請求項７に記載の表示制御装置。
【請求項１０】
前記データアイコン配列制御手段は、前記移動表示の際に、前記基準コンテンツのデータアイコンを示す領域を通過する前のデータアイコンの列数を、前記基準コンテンツのデータアイコンを示す領域を通過した後のデータアイコンの列数より多く表示するよう制御することを特徴とする請求項３に記載の表示制御装置。
【請求項１１】
前記データアイコン配列制御手段は、移動表示が開始されてから所定時間の経過後、前記基準コンテンツのデータアイコンを示す領域を通過する前のデータアイコンの列数を、前記基準コンテンツのデータアイコンを示す領域を通過した後のデータアイコンの列数より多く表示するよう制御することを特徴とする請求項１０に記載の表示制御装置。
【請求項１２】
データアイコンの移動表示の速度を制御する速度制御手段を更に有し、
前記データアイコン配列制御手段は、前記速度に応じて、前記移動表示の際に、前記基準コンテンツのデータアイコンを示す領域を通過する前のデータアイコンの列数を、前記基準コンテンツのデータアイコンを示す領域を通過した後のデータアイコンの列数より多く表示するよう制御することを特徴とする請求項１０に記載の表示制御装置。
【請求項１３】
表示制御装置が実行する表示制御方法であって、
基準コンテンツのデータアイコンと、他のコンテンツのデータアイコンと、を識別可能に表示装置に表示するよう制御する表示制御ステップと、
操作装置からの指示に基づき、前記表示装置に配列に従って表示されたデータアイコンを移動表示させるスクロール制御ステップと、
前記移動表示の際に、前記基準コンテンツのデータアイコンに対して移動方向と逆方向のデータアイコンの数を、移動方向のデータアイコンの数より多く表示するよう制御するデータアイコン配列制御ステップと、
を有することを特徴とする表示制御方法。
【請求項１４】
表示制御装置が実行する表示制御方法であって、
基準コンテンツのデータアイコンを示す領域と、他のコンテンツのデータアイコンを示す領域と、を識別可能に表示装置に表示するよう制御する表示制御ステップと、
操作装置からの指示に基づき、前記表示装置に配列に従って表示されたデータアイコンを前記基準コンテンツのデータアイコンを示す領域を通過するよう移動表示させるスクロール制御ステップと、
前記移動表示の際に、前記基準コンテンツのデータアイコンを示す領域を通過する前のデータアイコンの数を、前記基準コンテンツのデータアイコンを示す領域を通過した後のデータアイコンの数より多く表示するよう制御するデータアイコン配列制御ステップと、
を有することを特徴とする表示制御方法。
【請求項１５】
コンピュータを、
基準コンテンツのデータアイコンと、他のコンテンツのデータアイコンと、を識別可能に表示装置に表示するよう制御する表示制御手段と、
操作装置からの指示に基づき、前記表示装置に配列に従って表示されたデータアイコンを移動表示させるスクロール制御手段と、
前記移動表示の際に、前記基準コンテンツのデータアイコンに対して移動方向と逆方向のデータアイコンの数を、移動方向のデータアイコンの数より多く表示するよう制御するデータアイコン配列制御手段と、
して機能させることを特徴とするプログラム。
【請求項１６】
コンピュータを、
基準コンテンツのデータアイコンを示す領域と、他のコンテンツのデータアイコンを示す領域と、を識別可能に表示装置に表示するよう制御する表示制御手段と、
操作装置からの指示に基づき、前記表示装置に配列に従って表示されたデータアイコンを前記基準コンテンツのデータアイコンを示す領域を通過するよう移動表示させるスクロール制御手段と、
前記移動表示の際に、前記基準コンテンツのデータアイコンを示す領域を通過する前のデータアイコンの数を、前記基準コンテンツのデータアイコンを示す領域を通過した後のデータアイコンの数より多く表示するよう制御するデータアイコン配列制御手段と、
して機能させることを特徴とするプログラム。
【請求項１７】
請求項１５又は１６に記載のプログラムを記憶したコンピュータにより読み取り可能な記憶媒体。
【手続補正２】
【補正対象書類名】明細書
【補正対象項目名】００１１
【補正方法】変更
【補正の内容】
【００１１】
また、本発明は、表示制御装置が実行する表示制御方法であって、基準コンテンツのデータアイコンと、他のコンテンツのデータアイコンと、を識別可能に表示装置に表示するよう制御する表示制御ステップと、操作装置からの指示に基づき、前記表示装置に配列に従って表示されたデータアイコンを移動表示させるスクロール制御ステップと、前記移動表示の際に、前記基準コンテンツのデータアイコンに対して移動方向と逆方向のデータアイコンの数を、移動方向のデータアイコンの数より多く表示するよう制御するデータアイコン配列制御ステップと、を有することを特徴とする。
【手続補正３】
【補正対象書類名】明細書
【補正対象項目名】００１２
【補正方法】変更
【補正の内容】
【００１２】
また、本発明は、表示制御装置が実行する表示制御方法であって、基準コンテンツのデータアイコンを示す領域と、他のコンテンツのデータアイコンを示す領域と、を識別可能に表示装置に表示するよう制御する表示制御ステップと、操作装置からの指示に基づき、前記表示装置に配列に従って表示されたデータアイコンを前記基準コンテンツのデータアイコンを示す領域を通過するよう移動表示させるスクロール制御ステップと、前記移動表示の際に、前記基準コンテンツのデータアイコンを示す領域を通過する前のデータアイコンの数を、前記基準コンテンツのデータアイコンを示す領域を通過した後のデータアイコンの数より多く表示するよう制御するデータアイコン配列制御ステップと、を有することを特徴とする。